Podtech/llm-jp-corpus-v4-ja_patent huggingface dataset:
(57)【要約】【課題】  赤色に見え方がより鮮やかに見える電球形蛍光ランプを提供することにある。【解決手段】  内面に蛍光体が塗布されたガラスバルブを有する発光管と、前記発光管を覆うガラスグローブを有する電球形蛍光ランプにおいて、ガラスグローブにネオジウム入りガラスを使用することで達成される。【選択図】  図１
2005116419.tif 000002
【特許請求の範囲】
【請求項１】
内面に蛍光体が塗布されたガラスバルブを有する発光管と、前記発光管を覆うガラスグローブを有する電球形蛍光ランプであって、前記ガラスグローブは、ネオジウム入りガラスであることを特徴とする電球形蛍光ランプ。
【請求項２】
請求項１記載の電球形蛍光ランプであって、前記蛍光体は、３波長蛍光体を用いたことを特徴とする電球形蛍光ランプ。
【請求項３】
請求項１又は請求項２記載の電球形蛍光ランプであって、前記蛍光体は、少なくとも深赤蛍光体が混合されていることを特徴とする電球形蛍光ランプ。
【請求項４】
請求項１〜請求項３記載の電球形蛍光ランプを、装着したことを特徴とする照明器具。
【発明の詳細な説明】
【技術分野】
【０００１】
本発明は精肉、鮮魚、生花などのショーケースに使用される、赤色等をより鮮やかに見せる電球形蛍光ランプ及びこの電球形蛍光ランプを装着した照明器具に関するものである。
【背景技術】
【０００２】
一般に使用されている電球形蛍光ランプは、電球代替のランプであり、省電力、長寿命の特徴を有しており、一般家庭やホテルのロビーなどで多くの場所で使用されている。
【０００３】
電球形蛍光ランプの発光管の内面には、蛍光体が塗布されており、演色性のよい３波長蛍光体、即ち４５０ｎｍ付近に発光ピークを持つ青色蛍光体（例えば、ＢａＭｇＡｌ16Ｏ27；Ｅｕ）と５４５ｎｍ付近に発光ピークを持つ緑色蛍光体（例えば、ＬａＰＯ４；Ｃｅ、Ｔｂ）と６１１ｎｍ付近に発光ピークを持つ赤色蛍光体（例えば、Ｙ２Ｏ３；Ｅｕ）を混合した蛍光体が用いられている。また、発光管を覆うガラスグローブには、ソーダガラスが用いられている。
【０００４】
赤色をより鮮やかに見せる電球形蛍光ランプは、特開２０００−２１３５３に開示されているように、３波長蛍光体に加えて、６５０〜６７０ｎｍに発光ピークを持つ深赤色蛍光体（例えば、３．５Ｍｇ・０．５ＭｇＦ２・ＧｅＯ２；Ｍｎ）が混合されている。
【発明の開示】
【発明が解決しようとする課題】
【０００５】
以上のように、従来の電球形蛍光ランプは、蛍光体に３波長蛍光体を用いているため演色性が良いが、精肉、鮮魚などのショーケースに使用した場合、赤色が引き立たず、鮮度が十分引き立たない等の問題があった。
【０００６】
また、３波長蛍光体に加えて、深赤色蛍光体が混合されている場合においても、５８０ｎｍ付近の黄色域に発光ピークが存在するため、赤色が十分引き立たず、鮮やかに見えない場合もあった。
【０００７】
本発明の目的は上述した課題を解決するためになされたもので、簡単な構造で精肉、鮮魚などの鮮度が十分引き立つよう赤色をより鮮やかに見せる電球形蛍光ランプを提供することにある。
【課題を解決するための手段】
【０００８】
上記目的を達成するために、請求項１記載の発明においては、内面に蛍光体が塗布されたガラスバルブを有する発光管と、前記発光管を覆うガラスグローブを有する電球形蛍光ランプであって、ガラスグローブにネオジウム入りガラスを使用することで達成される。
【０００９】
請求項２記載の発明においては、ガラスグローブにネオジウム入りガラスを使用すると共に、前記蛍光体に３波長形蛍光体を使用することで達成される。
【００１０】
請求項３記載の発明においては、ガラスグローブにネオジウム入りガラスを使用すると共に、前記蛍光体に加え、深赤蛍光体を混合することで達成される。
【００１１】
請求項４記載の発明においては、請求項１〜請求項３記載の電球形蛍光ランプを、装着したこと照明器具を使用することで達成される。
【発明の効果】
【００１２】
本発明の電球形蛍光ランプによれば、５７５〜５８５ｎｍをよく吸収するネオジウム入りガラスをガラスグローブとして、用いることで、黄色域の可視光を吸収し、赤色がより引き立ち、鮮やかに見せることができる。
【発明を実施するための最良の形態】
【００１３】
以下、本発明の一例での実施の形態を図面を参照しつつ説明する。
【００１４】
図1は、本発明による電球形蛍光ランプの一実施例を示したものである。図示のように、電球形蛍光ランプ１は、光拡散性又は透光性を有する略球状のネオジウム入りガラスからなるガラスグローブ２と、樹脂製のカバー３と、口金４と、発光管５と、発光管５の駆動用回路６と、発光管５と前記駆動回路６を固定する樹脂製のホルダー７等が備えられたものとなっている。これらの構成要素のうち、発光管５は複数の略Ｕ字形状のガラスバルブ８が複数の連通管部（図示せず）により接続されており、その両端には１対の電極９（一方の電極は図示せず）が設けられている。ガラスバルブ８の内面には、例えば、４５０ｎｍ付近に発光ピークを持つ青色蛍光体（例えば、ＢａＭｇＡｌ16Ｏ27；Ｅｕ）と５４５ｎｍ付近に発光ピークを持つ緑色蛍光体（例えば、ＬａＰＯ４；Ｃｅ、Ｔｂ）と６１１ｎｍ付近に発光ピークを持つ赤色蛍光体（例えば、Ｙ２Ｏ３；Ｅｕ）６５０〜６７０ｎｍに発光ピークを持つ深赤色蛍光体（例えば、３．５Ｍｇ・０．５ＭｇＦ２・ＧｅＯ２；Ｍｎ）が適宜混合した蛍光体１０が設けられている。
【００１５】
図２は、色温度を約３２００Ｋの場合の分光分布を示した特性図である。実線はネオジウム入りガラスを用いた場合の特性で、破線は一般に用いられているソーダガラスを用いた場合の特性であり、最大強度を1として、示している。ネオジウム入りガラスを用いると５７５〜５８５ｎｍの黄色域の可視光がカットされる。これは、ネオジウム入りガラスが、５７５〜５８５ｎｍの波長の光を吸収するためである。このランプを用いると、黄色が抑えられ、赤色が引き立つ。
【００１６】
本発明の電球形蛍光ランプを装着した照明器具を使用すると、黄色が抑えられ、赤色が引き立つ。精肉、鮮魚などの食品展示用に用いた場合、赤色が鮮やかに見える。
【００１７】
本発明による電球形蛍光ランプは、色温度が３２００Ｋの例を示したが、色温度は使用用途によって変更しても構わない。また、青色蛍光体、緑色蛍光体、赤色蛍光体、深赤蛍光体を混合した例を示したが、通常の３波長形蛍光ランプを用いても構わないし、他の蛍光体を用いても構わない。
【図面の簡単な説明】
【００１８】
【図１】本発明による電球形蛍光ランプの断面図である。
【図２】本発明の電球形蛍光ランプの分光分布を示す特性図である。
【符号の説明】
【００１９】
１  電球形蛍光ランプ
２  ネオジウム入りガラス製グローブ
３  樹脂製カバー
４  口金
５  発光管
６  駆動用回路
７  ホルダー
８  ガラスバルブ
９  電極
１０  蛍光体。
【図１】
2005116419.tif 000003
【図２】
2005116419.tif 000004
(57)【要約】【課題】  危険を伴う設備等の目視点検は懐中電灯のみで行っていた。しかし、この種のものは注目面がどうしても拡がり、視点が定め難いこともあって、離れた所からの点検で傷、割れ目、脱落、加熱による変色、汚れ等を見落としてしまうことがあり、これを解決するためにレーザー光線発光部を有する懐中電灯を提供することを課題とする。【解決手段】  本発明は、１個または２個から成るレーザー光線発光部と懐中電灯から構成し、2個から成る場合は当該レーザー光線照射点間隔位置を調整可能にするレーザー光線発光部を有する懐中電灯を提供する。【選択図】    図１
2005116449.tif 000002
【特許請求の範囲】
【請求項１】
１個または２個から成るレーザー光線発光部と懐中電灯から構成し、２個から成るレーザー光線発光部の場合は当該レーザー光線照射点間隔位置を調整可能にすることを特徴とするレーザー光線発光部を有する懐中電灯。
【発明の詳細な説明】
【技術分野】
【０００１】
本発明は、レーザー光線発光部と懐中電灯部から構成し、危険を伴う設備等の目視点検に於いて、懐中電灯の照射に加えてレーザー光線を照射することにより目視ポイントを明確に絞り込み、注目度をより高め目視点検の見落としを著しく少なくすることができるレーザー光線発光部を有する中電灯に関する。
【背景技術】
【０００２】
従来、レーザー光線を使用しているレーザービームポインターなるものがある。
【特許文献１】特許公開平６−２１４１９２号公報
【発明の開示】
【発明が解決しようとする課題】
【０００３】
従来、危険を伴う設備等の目視点検は懐中電灯のみで行っていた。しかし、この種のものは注目面がどうしても拡がり、視点が定め難いこともあって、目視点検の目的である高温箇所、高電圧場所、危険な場所の離れた所からの点検で傷、割れ目、脱落、加熱による変色、汚れ等を見落としてしまうことがあり、その為に重大な事故や火災につながることがあった。
【課題を解決するための手段】
【０００４】
この発明は、１個または２個から成るレーザー光線発光部と懐中電灯から構成し、2個から成る場合は当該レーザー光線照射点間隔位置を調整可能にすることを特徴とするレーザー光線発光部を有する懐中電灯。
【発明の効果】
【０００５】
暗い所で危険が伴う設備でも、懐中電灯照射面の中央にレーザー光線照射点をつくることにより、当該レーザー光線照射点をガイドにして目視点検の注目範囲が絞り易く視点が定まり、レーザー光線照射が２点になると不備範囲を特定し易くなる。このことにより本発明が解決しようとする課題を解決することができる。
【発明を実施するための最良の形態】
【０００６】
本発明の実施形態を添付図面に於いて説明する。
図１は本発明に係る1個のレーザー光線発光部を設けた懐中電灯の斜視図である。
懐中電灯本体１の上部に１個のレーザー光線発光部２を設け、それぞれに電灯用スイッチ３及びレーザー光線用スイッチ４を取り付け、当該スイッチ類は押し付けるとＯＮに成り先方にスライドすると保持し、手前に引くとＯＦＦになる。
【０００７】
図２は本発明に係る２個のレーザー光線発光部を設けた一部分の斜視図である。
レーザー光線発光部２及びレーザー光線発光部２−１から構成し、２個のレーザー光線用スイッチ４−１を設け、２個のレーザー光線照射点を左右移動させる円盤ノブ5を設け、当該ノブを先方に回すと照射点が拡がり手前に回すと中央に寄る。
【図面の簡単な説明】
【０００８】
【図１】1個のレーザー光線発光部を設けた懐中電灯の斜視図である。
【図２】２個のレーザー光線発光部を設けた一部分の斜視図である。
【符号の説明】
【０００９】
１      懐中電灯本体
２      １個のレーザー光線発光部
２−１  2個のレーザー光線発光部
３      電灯用スイッチ
４      １個のレーザー光線用スイッチ
４−１  2個のレーザー光線用スイッチ
５      円盤ノブ
【図１】
2005116449.tif 000003
【図２】
2005116449.tif 000004
(57)【要約】【課題】本発明は、同じ遮断器で、容易な作業によって過電流引き外し装置を搭載した遮断器と、搭載しない遮断器とを変更可能にした回路遮断器を提供することを目的としている。【解決手段】本発明に係る回路遮断器１は、ケース２の側面に設けられた回路遮断器１の連結用の穴４に、過電流引き外し装置を作動させるためのバイメタル３の動きを規制する係止片６を有するブレーカキャップ５を嵌合可能とし、過電流引き外し装置のあるもの、ないものを変更可能としたことを特徴とする。【選択図】図１
2005116200.tif 000002
【特許請求の範囲】
【請求項１】
ケース内にバイメタルを内蔵し、過電流引き外し機能を付加した回路遮断器において、前記ケースの側面に設けられた前記回路遮断器の連結用の穴に、過電流引き外し装置を作動させるための前記バイメタルの動きを規制する係止片を有するブレーカキャップを嵌合可能としたことを特徴とする回路遮断器。
【発明の詳細な説明】
【技術分野】
【０００１】
本発明は、ケース内にバイメタルを内蔵し、過電流引き外し機能を付加した回路遮断器に関するものである。
【背景技術】
【０００２】
従来、回路遮断器は、過電流引き外し装置を搭載したもの２１と、搭載しないもの２２と二種類用意していた。引き外し装置を搭載するには、ケース２３内にバイメタル２４を内蔵し、一方引き外し装置を搭載しない場合にはバイメタルを除いていた。
【非特許文献１】河村電器産業株式会社 カワムラカタログ電設資材編 Ｎ０．３３ 平成１３年４月１日改訂（ｐ．５６９〜ｐ．５７０）
【発明の開示】
【発明が解決しようとする課題】
【０００３】
しかしながら、上記従来技術によれば、ほとんど同様の構造を持つ遮断器を二種類製作するため、在庫管理に煩雑な手間がかかっていた。
【課題を解決するための手段】
【０００４】
そこで本発明は、同じ遮断器で、容易な作業によって過電流引き外し装置を搭載したものと、搭載しないものを変更可能にした回路遮断器を提供することを目的とし、その構造は、ケースの側面に設けられた回路遮断器の連結用の穴に、過電流引き外し装置を作動させるためのバイメタルの動きを規制する係止片を有するブレーカキャップを嵌合可能としたことを特徴とする。
【発明の効果】
【０００５】
本発明に係る回路遮断器は、ブレーカキャップをケース側面に設けられている回路遮断器連結用の穴に嵌合させ、内蔵されているバイメタルの動作を規制して過電流引き外し装置を作動させないようにするもので、同じ部品、製造工程で製作された回路遮断器を容易に過電流引き外し装置付きと過電流引き外し装置なしとを変更することができる。そのため、在庫管理の手間が省くことができる。
【発明を実施するための最良の形態】
【０００６】
在庫管理の手間を省くという目的を、容易な作業で、また、特別な加工も必要とせず実現した。
【実施例１】
【０００７】
本発明に係る回路遮断器を図１の添付図面に基づいて説明する。
【０００８】
回路遮断器１はケース２の中にバイメタル３を内蔵し、過電流が流れたときに、バイメタル３の動作により回路が引き外されるようになっている。従来は、バイメタル３を内蔵した過電流引き外し装置付きの回路遮断器と、バイメタルを組み込まない過電流引き外し装置なしの回路遮断器をそれぞれに製作していた。
【０００９】
回路遮断器１は、複数個連結して使用できるように、ケース２側面に連結用穴４を設けている。連結する場合には連結用部材を嵌め込み取り付け、連結しない場合には目隠し用のキャップを取り付ける。
【００１０】
本発明では連結用穴４にはブレーカキャップ５が嵌合可能である。ブレーカキャップ５は連結用穴４に嵌合させたときに、内蔵されているバイメタル３の動作を規制するため、バイメタル３を係止する係止片６を形成し、過電流の場合に、バイメタルが動作しないようする。
【００１１】
バイメタル３を内蔵した過電流引き外し装置付きの回路遮断器１のみを製作し、過電流引き外し装置が不要な場合には、ブレーカキャップ５を取り付ける。一つの製品で二種類対応できるため、部品や製品の在庫管理の煩雑な手間を省くことができる。
【産業上の利用可能性】
【００１２】
ブレーカキャップの着脱という容易な作業で、同じ回路遮断器を使用して過電流引き外し装置付きと過電流引き外し装置なしとを選択でき、回路遮断器の内部もスペースも有効利用できる。
【図面の簡単な説明】
【００１３】
【図１】回路遮断器の構造を示す説明図である。（実施例１）
【図２】回路遮断器の用いるブレーカキャップを示す説明図である。（実施例１）
【図３】過電流引き外し装置付き遮断器の断面図である。
【図４】過電流引き外し装置なし遮断器の断面図である。
【符号の説明】
【００１４】
１    回路遮断器
２    ケース
３    バイメタル
４    連結用穴
５    ブレーカキャップ
６    係止片
【図１】
2005116200.tif 000003
【図２】
2005116200.tif 000004
【図３】
2005116200.tif 000005
【図４】
2005116200.tif 000006
(57)【要約】【課題】  電気製品の待機電力をカットするため、コンセントからプラグを抜く習慣をつけ、抜いたプラグを美しく楽しく収納可能とする。【解決手段】  本体を中空状の小物グッズ型に絶縁体で形成し、この内部空洞にプラグ収納部を設けて、プラグを収納可能とし、支持部に設けた支持具、又は差し込み突起で、本体を柱や壁、又はコンセントに支持固定する。【選択図】  図1
2005116198.tif 000002
【特許請求の範囲】
【請求項１】
電気製品の待機時に、コンセントから抜いたプラグとコードを保持する器具に於いて、本体１を中空状の小物グッズ型に形成し、この本体１の内部空洞に、プラグ収納部2を設け、プラグ収納部の適宜な位置に、プラグの出し入れ口３を設け、本体１には本体と連続する支持部4を設け、支持部4には支持具５を設けたことを特徴とする、プラグホルダー全体を絶縁体で形成する待機電力カット時用プラグホルダー。
【請求項２】
支持具5を、コンセントキャップを兼用する、さし込み突起６とすることを特徴とする請求項１記載の待機電力カット時用プラグホルダー。
【請求項３】
プラグ出し入れ口３を、開閉自在にしてコードに着脱可能とする請求項1叉は請求項２記載の待機電力カット時用プラグホルダー。
【発明の詳細な説明】
【技術分野】
【０００１】
家庭や各種の施設などで、電気製品を使用しない待機時に、コンセントから抜いたプラグを、整理収納する器具に関するものである。
【背景技術】
【０００２】
今まで、電気製品は、未使用時にもプラグをコンセントに接続したままにして置くことが多かった。又、抜いたプラグを収納する器具はなかった。最近スイッチ付きタップや、コンセントに中間スイッチを組み込んだ待機電力カット用の器具があるが、器具自体がぐらつき易いなどの不都合があった。
【０００３】
【特許文献１】実願平５−７６９５４        実開平７−３６３号広報報
【発明の開示】
【発明が解決しようとする課題】
【０００４】
従来の状態には、次のような欠点があった。
イ. 未使用時にも、コンセントに接続されたままのプラグが多かった。
(従って、待機時の電力使用量が増える)
ロ. コンセントより抜いたプラグが、空中に浮いた状態で垂れ下がったり、だらしなく床に散らばったままにされているので見た目に見苦しく、部屋がすっきりとしない。
ハ. 掃除をするときに、散らばったプラグやコードが邪魔になった。
ニ. 省エネの習慣がつかない。
と、言うような課題があった。
本発明は、以上のような欠点を除くためになされたものである。
【課題を解決するための手段】
【０００５】
本発明は以上のような課題を解決するために、コンセントから抜いたプラグを、中空状の本体の内部に収納可能とし、この本体を支持部に設けた支持具で壁や柱に支持固定して、美しく整理収納できるようにする。
又、請求項2のものは、コンセントキャップを兼用する、さし込み突起を、支持具に換えて支持部に設け、これをコンセントに差して本体を支持固定する。
又、請求項3のものは、プラグ出し入れ口を開閉自在にして、コードやプラグへの着脱が容易にできるようにする。
尚、複数のプラグを収納するときは、プラグの出し入れ口を必要に応じて上・下、左・右と適宜な数を設けると使いやすい。
支持部は、床置き、足つきにすれば、低い位置のコンセントにも対応できる。
本体には、絵や文字、宣伝用の名入りなど楽しいデザインを施したり、蛍光塗料を使用することで、夜間などにも便利に使用できるグッズとすることができる。
本体のグッズの形として、花・野菜・てんとう虫・蝉・ふくろう・貝・犬・猫などの植物や動物の型、人形・ドレス・帽子・提灯・くす玉・傘・花篭型など、インテリア向きの楽しいものが望ましい。
又、プラグ収納部に小窓やポケットを設けて、芳香剤や防臭剤を入れ効果を得ることもできる。  
【発明の効果】
【０００６】
プラグを抜く習慣がつき、省エネに役立つ。
プラグがすっきりと美しく整理収納できる。
コードやプラグが邪魔しないので、掃除がし易い。  
インテリアグッズとして楽しく使用できる。
芳香剤や消臭剤入れとしても併用できる。
抜いたプラグにほこりがつきにくい。
【発明を実施するための最良の形態】
【０００７】
本体を絶縁体で形成する、インテリアグッズとして適した形とする。
【実施例１】
【０００８】
インテリアデザインの小物グッズ型（例・動物型）の本体１に、中空状のプラグ収納部２とプラグの出し入れ口3を設け、この本体1に連続して設けた支持部４の支持具５で、本体を柱や壁に支持固定する。支持部４にはコード受け９を設け、支持具5にはフック・吸盤・粘着テープ・掛け紐など使用する場所により適宜なものを使用する。
プラグ収納部２には、小窓10を設けて芳香剤や消臭剤を保持可能とする待機電力カット時用プラグホルダー。
【実施例２】
【０００９】
本体1を提灯型に形成し、支持具に５に替わるコンセントキャップを兼用する、さし込み突起6を設け、本体1をコンセントに支持固定する待機電力カット時用プラグホルダー。
【産業上の利用可能性】
【００１０】
省エネが叫ばれている最近でも、電気製品の未使用時に、コンセントからプラグを抜く人が少ない。そこで抜いたプラグを美しく整理収納を簡単にできるようにして、多くの人が、手軽に省エネを実行できる習慣をつけるようにしょうとするものである。
【図面の簡単な説明】
【００１１】
【図１】本発明の本体を動物型にしたときの斜視図である。(実施例１)
【図２】本発明の本体を動物型にしたときの側面図である。(実施例１)
【図３】本発明の他の実施例を表す斜視図である。      （実施例２）
【符号の説明】
【００１２】
本体
プラグ収納部
プラグ出し入れ口
支持部
支持具
さし込み突起
プラグ
コード
コード受け
小窓
【図１】
2005116198.tif 000003
【図２】
2005116198.tif 000004
【図３】
2005116198.tif 000005
(57)【要約】【課題】  本発明は、蓄電池の蓋凹部に収納された状態判定装置と蓄電池の端子を接続するに際し、接続導体をブッシング端子と一体に形成して蓋内に埋め込み、接続導体の他端を蓋凹部に露出させ、該他端と状態判定装置を接続した蓄電池において、ブッシング端子の周囲に突出形成される樹脂と端子間に隙間が形成されないようにしたものである。【解決手段】  接続導体とブッシング端子との接合する端部を傾斜部とすることで、該接合端部において接続導体を覆うための樹脂を突出形成させる必要がなくブッシング端子の周囲に突出形成される樹脂を真円形状とすることで、該樹脂と端子との間に隙間が形成することを防止したものである。【選択図】    図１
2005116243.tif 000002
【特許請求の範囲】
【請求項１】
蓋凹部に状態判定装置を収納し、該状態判定装置と蓄電池の端子との接続を、端子を構成するブッシング端子の外面から接続導体を一体に形成して該蓋凹部に露出させ、該接続導体と状態判定装置を接続してなる蓄電池において、該接続導体のブッシング端子との接合端部を傾斜部に形成したことを特徴とする蓄電池。
【発明の詳細な説明】
【技術分野】
【０００１】
本発明は、蓄電池の両端子と電気的に接続され、蓄電池電圧や内部抵抗を計測して蓄電池の充電状態や劣化状態を判定する状態判定装置を蓄電池の蓋上面凹部に収納した蓄電池に関するものである。
【背景技術】
【０００２】
蓄電池の充電状態や蓄電池の内部抵抗等を計測して蓄電池の状態を判定する装置を蓄電池の蓋に設け、該判定装置を蓄電池の内部で蓄電池端子と接続して状態を判定することが知られている（例えば、特許文献１、２）。
【０００３】
また、この状態判定装置を蓋凹部に収納し、該状態判定装置を蓄電池の露出した端子に接続することも知られている（特許文献３）。
【０００４】
更に、本出願人らは、状態判定装置と蓄電池の端子を接続するに当たり、蓄電池内部でも外部でもなく、蓋内で行うことを提案した（特許文献４）。
【０００５】
【特許文献１】実開昭６０−５５０７２号公報
【特許文献２】国際公開第０１／０５９４３３号公報
【特許文献３】特開平９−３３０７４３号公報
【特許文献４】特願２００２−３０８５７２号
【発明の開示】
【発明が解決しようとする課題】
【０００６】
状態判定装置と蓄電池の端子を接続するに際しては、蓄電池の内部で接続する方法では接続作業が煩わしく、また、外部で接続する方法では露出する接続具を安全性のためにカバーをしなければならない等の問題がある。
【０００７】
そこで、蓋内部即ち、蓋を成形する際に同時にインサートされるブッシング端子の該蓋内でブッシング端子と状態判定装置を接続する接続導体を一体に設け、該接続導体の他端を蓋上面に形成した状態判定装置を収納するための凹部内に露出する様に蓋を成形し、該露出した接続導体の他端に状態判定装置を接続することが煩わしくも無く、安全であり好ましい。
【０００８】
しかし、ブッシング端子に接続導体を設ける場合に、接続導体を水平に形成することは蓄電池高さを高くしてしまうため、接続導体のブッシング端子との接続端部はクランク状に折り曲げ、露出する先端が接続導体のブッシング端子との接続端よりは下方に位置するように形成している。
【０００９】
そして、接続導体をブッシング端子に接続する位置は、ブッシング端子が蓋に鋳込まれる部分の比較的上部に接続し、該鋳込み部分からの電解液の漏洩を防止している。
【００１０】
この場合、ブッシング端子が蓋内に鋳込まれるブッシング部を比較的高く取れる蓄電池は良いが、そうでない場合は、接続導体の接続端が蓋に鋳込まれる部分の直近に位置するためにこれを樹脂で覆う必要が生じ、蓋の直上から見た場合にブッシング端子の周囲に突出成形される樹脂形状は真円でない前方後円的形状になってしまう。
【００１１】
この形状は、成形時の樹脂の引け等によりブッシング端子と樹脂との間に隙間が出来やすく好ましくないことは従来から知られている。
【課題を解決するための手段】
【００１２】
本発明は、ブッシング端子の周囲に突出形成される樹脂形状を蓋の真上から見た場合に真円になるようにしたもので、接続導体のブッシング端子との接続端部に傾斜部を形成したものである。
【発明の効果】
【００１３】
接続導体のブッシング端子との接続端部に傾斜部を形成したので、蓄電池の高さを可及的に低く抑えることが出来ると共に、ブッシング端子周囲に突出形成される樹脂部を真円にでき、ブッシング端子と樹脂間の隙間の形成を防止し得、液漏洩の恐れのない信頼性の向上した蓄電池を得ることが出来る。
【発明を実施するための最良の形態】
【００１４】
本発明は、接続導体のブッシング端子との接続端部に傾斜部を形成したもので、図１は本発明の実施形態の蓋の断面図である。１は蓋で、ポリプロピレン樹脂を成形して形成されている。２はブッシング端子で、鉛合金からなる中空円筒状の形状をしており、その下部外周に凸凹が形成され樹脂に鋳込まれるブッシング部２ａと負荷リード端子が接続される端子部２ｂから構成される。３は接続導体で、ブッシング端子２と同様な鉛合金で形成され、ブッシング部２ａの上部部分に一体に突出形成されている。図示の例では、ブッシング部２ａには７個の凸部が形成され、その上から２つ目の凸部に形成されている。
【００１５】
この接続導体３は図示の通り、そのブッシング端子２との接続端部は凡そクランク状に形成されてはいるが、傾斜部３ａを形成していることが特徴である。そしてその先端は蓋１に形成された状態判定装置を収納する収納凹部４に露出している。
【００１６】
このように形成することで、接続導体のブッシング端子との接続端部が直角のクランク状に形成した場合のように接続端部を樹脂で覆うために特別に樹脂を突出形成することでブッシング端子の周囲の樹脂の突出部を前方後円形状にする必要はなく、蓋を射出成形した場合に、図２に示す通り、蓋１を真上から見た場合に、ブッシング端子２の周囲には真円の突出部５が形成され、成形時の樹脂引けによる隙間の形成は皆無であった。図２中、６は蓋に穿孔された注液口である。
【００１７】
この実施形態における傾斜角（俯角）は約５０度にした。ブッシング部２ａから水平に突出する長さは、ブッシング部２ａに形成した凸部と同じで約３ｍｍである。
【００１８】
なお、傾斜角（俯角）は種種の値を取ることができるが、ブッシング部２ａに形成した凸凹への樹脂供給を円滑にしてブッシング部２ａの外周からの液漏洩を防止する必要があるため、８０度位が限度で、好ましくは４０〜６０度である。
【００１９】
この様に形成された蓋は、極板群とこれに植立された極柱が収納された電槽の開口部に、該極柱がブッシング端子の中空内を貫通して施され、蓋と電槽の当接面は互いに溶着されて該電槽の開口部を閉塞し、ブッシング端子の上端と極柱の上端を互いに溶接して端子部を形成し、注液口から電解液を注液後に液口栓を羅着して該注液口を塞いで蓄電池を得るものである。
【図面の簡単な説明】
【００２０】
【図１】本発明の蓋の実施形態の断面図
【図２】蓋の上面図
【符号の説明】
【００２１】
１・・蓋
２・・ブッシング端子
３・・接続導体
３ａ・・傾斜部
【図１】
2005116243.tif 000003
【図２】
2005116243.tif 000004
(57)【要約】【課題】落雷点を他の物体より準備設定された落雷点に誘雷させることである。そして落雷大電流に耐えうる装置であることである。【解決手段】空気中の電極間の放電は空気中に存在するイオン対濃度に影響される現象に着目して、積極的に放電電極の周辺空気のイオン対濃度を高めて近傍の物体の放電開始電圧より放電電極の放電開始電圧を低下させて誘雷する。イオン対濃度を高める手段に放射性核種、その化合物及びそれらの含有物の放射線による電離作用を用いることを最も主要な特徴とする。装置は絶縁体で十分な機械的強度を持つセラミックよりなり、放電電極に着装する。【選択図】図１
2005116263.tif 000002
【特許請求の範囲】
【請求項１】
放電電極に放射性核種、その化合物及びそれらの含有物を、付与するかまたは付着するか着装する。もしくは近くに配置して、その放射線による空気への電離作用により放電電極の近傍空気のイオン対を増加させて、自然状態での放電開始電圧より放電開始電圧を低下させることを特徴とする誘雷器。
【請求項２】
放電電極近傍の空気のイオン対濃度を確実に高めるように放射性核種、その化合物及びそれらの含有物を放電電極近く、落雷大電流による損傷を受けることなく着装する事を特徴とする請求項1記載の誘雷器。
【発明の詳細な説明】
【技術分野】
【０００１】
落雷点を確実にして落雷よる被害を避ける装置
【背景技術】
【０００２】
落雷による被害を避ける装置として避雷針が使用されている。しかしながら確実に雷雲
の放電点、すなはち落雷点を避雷針にすることは実現されていない。確実に雷害を防止す
るために避雷針を設備しさらに保護物を金網で被覆する処理が行はれている。
【非特許文献１】赤崎正則著「基礎高電圧工学」昭光堂
【発明の開示】
【発明が解決しようとする課題】
【０００３】
解決しようとする問題点は雷雲の落雷点を他の物体ではなく、準備設定された落雷点に誘雷させることである。そして落雷大電流に耐えうる装置であることである。
【課題を解決するための手段】
【０００４】
第一発明は空気中の電極間の放電が宇宙線や大地からの放射線により空気中に存在するイオン対濃度に影響される現象に着目して、積極的に放電電極の周辺空気のイオン対濃度を高めて近傍の物体の放電開始電圧より放電電極の放電開始電圧を低下させて誘雷する。イオン対濃度を高める手段に放射性核種、その化合物及びそれらの含有物の放射線による電離作用を用いることを最も主要な特徴とする。
【０００５】
第二発明は、放電電極近傍のイオン対濃度を確実に高めるため放射性核種、その化合物及び含有物を放電電極突針に可能な限り近く着装するため、耐雷電流を持つ支持物に放射線核種、その化合物及びそれらの含有物を表面に付着した誘雷装着。
【発明の効果】
【０００６】
この誘雷器は放射性核種の自然壊変による放射線を利用するもので寿命は半永久的に長く、運用には一切のエネルギーを必要とせず、また保守も不必要な非常に経済的な装置である。従来避雷針として設置されていてもその突針の直下にこの誘雷器を容易に着装出来て避雷針の機能を飛躍的に上げることが安価にできる。この誘雷機能は放電電極設置地上高を高くしたと等価であるので建設設置費用が低減できる。
【発明を実施するための最良の形態】
【０００７】
使用する放射線はアルファ線とする。放射性核種の放射線はアルファ線、ベータ線、ガンマ線がある。この発明の使用に最も適しているのはアルファ線である。理由は必要な範囲を確実にイオン化してかつイオン化能力が他の放射線より高いからである。アルファ線のイオン化作用はベータ線の１００倍程度、ガンマ線の１００００倍程度と高い。その飛程距離は短く空気中では数センチメートルである。これはイオン化範囲の確定に望ましい性質である。また透過力は弱く空気中では紙一枚で容易に止めることが出来るので放射線被爆による障害を受けることなく安全に製品の製造、保管ができる。
【０００８】
アルファ放射線源の放射性核種はアルファ壊変のトリウムとする。二酸化トリウムは科学的に安定なのでこれを使用する。
【０００９】
支持物は落雷大電流による電磁影響を受けない絶縁体で機械的強度の高いセラミックを用いる。
【実施例】
【００１０】
図１は本発明装置の1実施例の断面図である。１は放電電極である。これに２、３、４の各層よりなる本発明装置が着装されている。２は絶縁体で十分な機械的強度を持つセラミックよるなる支持本体である。３は４の二酸化トリウムを２に付着するための２と４より低い融点のセラミック層である。２の上に３の層を作り、溶融させたその上に４の二酸化トリウムを付着させ固化した構造である。５は装置を放電電極に着装する器具である。
【産業上の利用可能性】
【００１１】
誘雷点が確実になれば、保護目的の物体の落雷からの安全性が高くなる。史跡建造物、燃料等危険物保管設備、通信設備、送電設備等の保護に用途は広い。
【図面の簡単な説明】
【００１２】
【図１】誘雷器の実施方法を示した説明図である（実施例）
【符号の説明】
【００１３】
1  放電電極
2  支持セラミック本体
3  融着セラミック層
4  二酸化トリウム層
5  固定器具
【図１】
2005116263.tif 000003
(57)【要約】      （修正有）【課題】蓄電池の蓋凹部に状態判定装置を収納し、該凹部内に充填剤を充填して該凹部内に状態判定装置を固定するものにおいて、該凹部内へ電解液が滲み出した場合でも両端子が短絡されることのないようにしたものである。【解決手段】該蓋内に鋳込まれるブッシング端子と該ブッシング端子から突出する接続導体を蓋２に鋳込み、該接続導体の他端が蓋凹部内５に露出し、該凹部内に収納した状態判定装置６を該露出した接続導体の他端に接続され、該凹部に充填剤が充填されて状態判定装置が固定される蓄電池にあって、該蓋上面に形成された凹部の底面にこれを横切る凹溝７を形成したもので、この構成により、状態判定装置と凹部底面に確実に充填剤を存しめて該凹部に電解液が滲み込んでもこれを遮って両端子の短絡を防止したものである。【選択図】図１
2005116286.tif 000002
【特許請求の範囲】
【請求項１】
蓋凹部に状態判定装置を収納し、該凹部に接着剤を充填して蓋凹部内に該状態判定装置を固定してなる蓄電池において、該凹部の底面にこれを横切る凹溝を形成したことを特徴とする蓄電池。
【発明の詳細な説明】
【技術分野】
【０００１】
本発明は、蓄電池の両端子と電気的に接続され、蓄電池電圧や内部抵抗を計測して蓄電池の充電状態や劣化状態を判定する状態判定装置を蓄電池の蓋上面凹部に収納した蓄電池に関するものである。
【背景技術】
【０００２】
蓄電池の充電状態や蓄電池の内部抵抗等を計測して蓄電池の状態を判定する装置を蓄電池の蓋に設け、該判定装置を蓄電池の内部で蓄電池端子と接続して状態を判定することが知られている（例えば、特許文献１、２）。
【０００３】
また、この状態判定装置を蓋凹部に収納し、該状態判定装置を蓄電池の露出した端子に接続することも知られている（特許文献３）。
【０００４】
更に、本出願人らは、状態判定装置と蓄電池の端子を接続するに当たり、蓄電池内部でも外部でもなく、蓋内で行うことを提案した（特許文献４）。
【０００５】
【特許文献１】実開昭６０−５５０７２号公報
【特許文献２】国際公開第０１／０５９４３３号公報
【特許文献３】特開平９−３３０７４３号公報
【特許文献４】特願２００２−３０８５７２号
【発明の開示】
【発明が解決しようとする課題】
【０００６】
状態判定装置と蓄電池の端子を接続するに際しては、蓄電池の内部で接続する方法では接続作業が煩わしく、また、外部で接続する方法では露出する接続具を安全性のためにカバーをしなければならない等の問題がある。
【０００７】
そこで、蓋内部即ち、蓋を成形する際に同時にインサートされるブッシング端子の該蓋内でブッシング端子と状態判定装置を接続する接続導体を一体に設け、該接続導体の他端を蓋上面に形成した状態判定装置を収納するための凹部内に露出する様に蓋を成形し、該露出した接続導体の他端に状態判定装置を接続することが煩わしくも無く、安全であり好ましい。
【０００８】
しかし、ブッシング端子に接続導体を設けその他端を蓋凹部内に露出するものにおいては、ブッシング端子と共に該接続導体も蓋内に埋め込まれるものであるが、該樹脂とブッシング端子や接続導体との境界から電解液が滲みだして蓋凹部内に侵入して早期に両端子間を短絡させる恐れが心配される。
【課題を解決するための手段】
【０００９】
本発明は、状態判定装置が収納され接着剤が充填される蓋凹部内底面にこれを横切る凹溝を形成することで、上記恐れの問題を解消したものである。
【発明の効果】
【００１０】
形成された凹溝により、パスが長くなりその分液短絡の恐れは無くなる。更に、その部分に接着剤が十分に存在することになり、接着が強固になると共に液短絡のパスを遮ることが出来るので、万一にも該収納凹部内に電解液が滲みだしてもこれが相手側端子に到達して液絡する等の恐れを解消し得、信頼性の向上した蓄電池が得られる効果を奏する。
【発明を実施するための最良の形態】
【００１１】
本発明は蓋上面に形成した状態判定装置の収納凹部内の底面にこの底面を横切る凹溝を形成したもので、図１は本発明１実施形態を示す斜視図である。１は鉛蓄電池で、２は蓋、３は電槽、４は端子である。
【００１２】
蓋２の上面には凹部５が形成されている。この凹部５には状態判定装置６が収納されるものである。ここまでの構成は従来と変わりはない。本発明では該凹部５の底面にこれを横切る帯状の凹溝７を形成したことを特徴とするものである。図示の実施形態ではこの凹溝７を左右に２本形成した。その深さは２ｍｍである。なお、凹部５の深さは７．５ｍｍである。
【００１３】
この様に形成された蓋２の凹部５内に状態判定装置６を収納し、該状態判定装置６と該凹部５と間の隙間および凹溝７内に接着剤を流し込み固定するものである。
【００１４】
状態判定装置６はその両端に突出する端子部６ａを有し、鉛蓄電池１の端子４と一体に形成され、蓋２の凹部５内に他端が露出した接続導体８とハンダ溶接されて接続されるもので、該端子部６ａに形成された穴６ｂが接続導体の凹部５内に露出する他端先端部分に形成された突起８ａに貫通してハンダ溶接される。
【００１５】
この様に凹部５に凹溝７を形成し、これに接着剤を流し込み固化したので、接着が強固になると共に接着剤が入り易くなり、該凹溝７の部分では確実に凹部５と状態判定装置６間に接着剤を存在させることが出来るので、確実に鉛蓄電池の両端子４間での空隙を無くすことが出来、万一にも蓋にインサートされたブッシング端子の隙間から該凹部５内に電解液が滲みだしても該凹溝７内の接着剤により確実に遮断され、短絡等の事故は起こらないものであり、信頼性が向上する。
【００１６】
なお、図中凹部５の側面近傍に形成された凹所９は、使用済の蓄電池を廃棄再利用する際に、該状態判定装置を蓋から除去する際にここにドラーバー等の冶具を差込テコの利用により容易に剥がし取ることが出来るようにする為のものであり、凹部５とは薄い仕切り壁で仕切られている。
【００１７】
上記で説明した凹溝７は２本とは限らず、１本でもあるいは３本以上形成しても良い。また、凹溝７の断面形状は矩形としたが、これに限らず、半円形状等であっても良い。
また、凹溝７を上記の様に凹部を直行する様に形成する他、斜めに横断する様に形成しても良いし、底面の殆どを凹溝が占めるような幅広な溝でも良い。
更に、凹部５の側面にも凹溝を形成しても良い。
【００１８】
本発明は凹部内の底面にこれを横切る凹溝を形成したものであるので、接着剤の入りが良く、更に確実に状態判定装置と凹部間に接着剤を存しめることが出来るので状態判定装置と凹部底面とに間に確実に樹脂を存在させることが出来、隙間の形成を防止し得ると共に、両端子間のパスを長くできその分短絡に至る時間を長く出来るものである。
【００１９】
特に底面は状態判定装置が置かれ互いに当接する部分でもあるので、ややもすると接着剤が入らず隙間が出易い場所であるが、凹溝の存在により確実に接着剤を存しめることができるものであり隙間を遮断する。
【図面の簡単な説明】
【００２０】
【図１】本発明の実施形態の蓋の分解斜視図である。
【符号の説明】
【００２１】
１・・鉛蓄電池
２・・蓋
５・・凹部
６・・状態判定装置
７・・凹溝
【図１】
2005116286.tif 000003
(57)【要約】      （修正有）【課題】  蓄電池の蓋凹部に状態判定装置を収納し、該凹部内に充填剤を充填して該凹部内に状態判定装置を固定するものにおいて、該凹部内へ電解液が滲み出した場合でも両端子が短絡されることのないようにしたものである。【解決手段】  蓋１内に鋳込まれるブッシング端子３と該ブッシング端子から突出する接続導体４を蓋に鋳込み、該接続導体の他端が蓋凹部２内に露出し、該凹部内に収納した状態判定装置を該露出した接続導体の他端に接続され、該凹部に充填剤が充填されて状態判定装置が固定される蓄電池にあって、該蓋上面に形成された凹部の接続導体が露出する部分から状態判定装置が収納される凹部へ向かって下降する傾斜底面に形成する。【選択図】    図１
2005116287.tif 000002
【特許請求の範囲】
【請求項１】
蓋上面の凹部に収納される状態判定装置と、凹部に露出しブッシング端子と接続された接続導体とを接続してなる蓄電池において、該接続部が収納される凹部底面を、接続導体が露出する凹部から状態判定装置が収納される凹部へ向かって下降する傾斜底面に形成したことを特徴とする蓄電池。
【発明の詳細な説明】
【技術分野】
【０００１】
本発明は、蓄電池の両端子と電気的に接続され、蓄電池電圧や抵抗を計測して蓄電池の充電状態や劣化状態を判定する状態判定装置を蓄電池の蓋上面凹部に収納した蓄電池に関するものである。
【背景技術】
【０００２】
蓄電池の充電状態や蓄電池の内部抵抗等を計測して蓄電池の状態を判定する装置を蓄電池の蓋に設け、該判定装置を蓄電池の内部で蓄電池端子と接続して状態を判定することが知られている（例えば、特許文献１、２）。
【０００３】
また、この状態判定装置を蓋凹部に収納し、該状態判定装置を蓄電池の露出した端子に接続することも知られている（特許文献３）。
【０００４】
更に、本出願人らは、状態判定装置と蓄電池の端子を接続するに当たり、蓄電池内部でも外部でもなく、蓋内で行うことを提案した（特許文献４）。
【０００５】
【特許文献１】実開昭６０−５５０７２号公報
【特許文献２】国際公開第０１／０５９４３３号公報
【特許文献３】特開平９−３３０７４３号公報
【特許文献４】特願２００２−３０８５７２号
【発明の開示】
【発明が解決しようとする課題】
【０００６】
状態判定装置と蓄電池の端子を接続するに際しては、蓄電池の内部で接続する方法では接続作業が煩わしく、また、外部で接続する方法では露出する接続具を安全性のためにカバーをしなければならない等の問題がある。
【０００７】
そこで、蓋内部即ち、蓋を成形する際に同時にインサートされるブッシング端子の該蓋内でブッシング端子と状態判定装置を接続する接続導体を一体に設け、該接続導体の他端を蓋上面に形成した状態判定装置を収納するための凹部内に露出する様に蓋を成形し、該露出した接続導体の他端に状態判定装置を接続することが煩わしくも無く、安全であり好ましい。
【０００８】
しかし、ブッシング端子に接続導体を設けその他端を蓋凹部内に露出するものにおいては、ブッシング端子と共に該接続導体も蓋内に埋め込まれるものであるが、該樹脂とブッシング端子や接続導体との境界から電解液が滲み上がり蓋凹部内に侵入して早期に両端子間を短絡させる恐れが心配される。
【発明の効果】
【０００９】
滲み上がった電解液は接続導体の露出する凹部へ到達すると傾斜底面により下降してそこに溜まることはなく、しかも順次滲み出た電解液によっても、相手端子側が逆に上昇の傾斜面となっている為、相手端子に液が到達するには傾斜面を満たす分の電解液が必要となり、その分液絡に達する時間を延長させることが出来るので、万一にも電解液の滲み出しがあり、凹部内に電解液が侵入したとしても、液絡を長期に渡り阻止することが出来る効果があるものである。
【発明を実施するための最良の形態】
【００１０】
本発明は、露出した接続導体と状態判定装置を接続する接続部が収納される凹部の底面を、状態判定装置側へ向かい下降する傾斜底面としたもので、図１は、本発明の実施形態の蓋の断面図である。１は蓋で、ポリプロピレン樹脂を成形して形成されている。２は状態判定装置を収納する凹部で、その両端にブッシング端子３に接続された接続導体４が露出し、中央には状態判定装置が収納される平坦な底面部分があり、その平坦部と露出する部分との間の底面２ａが傾斜（傾斜角は５度）している。該傾斜は互いに露出する部分から状態判定装置が収納される部分へ向かって下降する傾斜底面となっている。
【００１１】
図２は蓋の上面図である。凹部２は状態判定装置が収納される部分が大きく広くなっている。露出する部分は狭くなっている。図中５は注液口である。
【００１２】
このような収納凹部には図３のような状態判定装置６の両端にリード線７が接続されたものを収納し、そのリード線７の先端を露出する接続導体にハンダ付け等して接続し、その後接着剤を該凹部内に充填して固化固定するものである。
【００１３】
なお、上記実施形態では状態判定装置６にリード線７を形成した場合を示したが、該状態判定装置に板状の端子を形成し、該板状端子を傾斜底面に沿うように折り曲げ加工したものを用いても良い。
【００１４】
このように構成した本発明品と、凹部内に露出した接続導体の下部蓋に直径８ｍｍの孔を開けて電解液が該接続導体にかかるようにした比較例品を作成し（状態判定装置と接続導体を接続したリード線や板状端子は完全に樹脂等で覆い外部とは絶縁した）、収納凹部に接着剤樹脂を流し込まない状態の蓋を、それぞれ極板群が収納された電槽に施して鉛蓄電池を作製した。
【００１５】
この作製した各鉛蓄電池を６０℃の環境下で４．５Ａの電流で連続過充電を実施した。
その結果、硫酸の進入により端子間が短絡する時間は、比較例品は９６時間で短絡したが、本発明品は２００時間でも短絡しなかった。
【図面の簡単な説明】
【００１６】
【図１】実施形態の蓋の断面図
【図２】実施形態の蓋の上面図
【図３】状態判定装置の実施形態斜視図
【符号の説明】
【００１７】
１・・蓋
２・・凹部
２ａ・・傾斜底面
３・・ブッシング端子
４・・接続導体
【図１】
2005116287.tif 000003
【図２】
2005116287.tif 000004
【図３】
2005116287.tif 000005
(57)【要約】【課題】  円柱２極磁石と同様な磁力作用を有し、２極磁石本体の直径の大きさに関係なく、制作費の低コストで製作時間の短縮を可能とする。【解決手段】  本発明の多丸型２極磁石１は、回転可能とするために中心に回転軸２を有し、多丸型２極磁石本体１が強磁性体の場合では円柱もしくは円盤型か駒型の多丸型２極磁石１本体円周上に、単体の丸型磁石４を半円周部分に複数の丸型磁石Ｎ極５ａ〜５ｌが外側に磁力を発生させるように着磁させ、反対の半円周部分には複数の丸型磁石Ｓ極６ａ〜６ｌが外側に磁力を発生させるよう着磁させる。  多丸型２極磁本体１が反磁性体の場合は、強磁性体リング３を取り付け、単体の丸型磁石４を半円周部分に複数の丸型磁石Ｎ極５ａ〜５ｌが外側に磁力を発生させるように着磁させ、反対の半円周部分には複数の丸型磁石Ｓ極６ａ〜６ｌが外側に磁力を発生させるように着磁させる。【選択図】    図１
2005116653.tif 000002
【特許請求の範囲】
【請求項１】
中心に回転軸を有する円柱もしくは円盤型か駒型の円周上に、強磁性体である本体の場合では単体の丸型磁石を半円周部分に複数の丸型磁石をＮ極が外側に磁力を発生させるように着磁させ、反対の半円周部分には複数の丸型磁石をＳ極が外側に磁力を発生させるように着磁させた形状を特徴とする多丸型２極磁石。
【請求項２】
中心に回転軸を有する本体が反磁性体の場合いでは、強磁性体のリングを円柱もしくは円盤型か駒型の円周部に取り付け、単体の丸型磁石を半円周部分に複数の丸型磁石をＮ極が外側に磁力を発生させるように着磁させ、反対の半円周部分には複数の丸型磁石をＳ極が外側に磁力を発生させるように着磁させたことを特徴とする請求項１記載の多丸型２極磁石。
【発明の詳細な説明】
【技術分野】
【０００１】
円柱もしくは円盤型か駒型に形成されている円周部分の半円周部分に複数の丸型磁石をＮ極が外側に磁力を発生させるように設け、反対の半円周部分には複数の丸型磁石をＳ極が外側に磁力を発生させるよう取り付けた２極の磁極を有する形状の多丸型２極磁石に関する。
【背景技術】
【０００２】
従来の円柱２極磁石では、半円ごとにＮ極、Ｓ極の磁極を有する磁石で構成されている。
【発明の開示】
【発明が解決しようとする課題】
【０００３】
円柱磁石の円周部分に２極の磁極とする磁石に対し、半円がＮ極、半円がＳ極の場合では、製作する際に円周の大きさに限度があるほか、高額な製作費や長時間の製作時間を費やしていた。
【課題を解決するための手段】
【０００４】
このような問題を解決するための本発明の多丸型２極磁石は、円柱もしくは円盤型か駒型の円周上に単体の丸型磁石を半円周部分に複数の丸型磁石をＮ極が外側に磁力を発生させるように設け、反対の半円周部分には複数の丸型磁石をＳ極が外側に磁力を発生させるよう取り付ける。
【０００５】
単体の丸型磁石の取り付け方法は、強磁性体である本体の場合では単体の丸型磁石を円周上に磁着させ、本体が反磁性体の場合いでは、強磁性体のリングを円柱もしくは円盤型か駒型の円周部に取り付け、単体の丸型磁石をリング上に磁着させる方法を用いる。
【発明の効果】
【０００６】
回転可能となるように軸を有する円柱もしくは円盤型か駒型に形成されている磁石に関し、円周が２極の磁力を有する形状の磁石と多丸型２極磁石では磁場の極端な差が無く、磁石としての効果では同等の作用を有しながら円周の大きさに関係なく製作が出来、高額な製作費や製作時間を費やすことがない低コストで作ることが可能となる。
【発明を実施するための最良の形態】
【０００７】
本発明の最良の形態として、円柱もしくは円盤型か駒型の円周部分に単体の丸型磁石を半円周部に複数の丸型磁石をＮ極が外側に磁力を発生させるように設け、反対の半円周部分には複数の丸型磁石をＳ極が外側に磁力を発生させるよう円周上に設ける。
【実施例】
【０００８】
本発明による多丸型２極磁石では、回転可能となるように中心部に軸を有することで、多丸型２極磁石の直径に近い長さの負荷をかける別の２極磁石の回転動作により、磁力の吸引作用で多丸型２極磁石も回転動作となる。
【０００９】
負荷をかける側の他の２極磁石の回転角度は、双方の磁力の吸引力範囲内で有ればどのような角度でも回転動作となる。
【００１０】
多丸型２極磁石本体の周りに導線をコイル状に巻くことで、負荷をかける別の２極磁石の回転動作により、磁力の吸引範囲であれば離れていても多丸型２極磁石も回転し起電力の発生で電流が流れ発電機となる。
【産業上の利用可能性】
【００１１】
多丸型２極磁石の使用により、現在の風力発電装置の羽部裏側にＮ極、Ｓ極が対となるようを設け、羽部裏側に取り付けた磁石の円周を描く位置にあたる円筒部内に多丸型２極磁石本体の周りに導線をコイル状に巻き発電装置として設置することで風力発電機一基で２種類の発電力が可能である。
【図面の簡単な説明】
【００１２】
【図１】本発明の実施の形態に係る多丸型２極磁石を示す側面図である。
【図２】本発明の実施の形態に係る多丸型２極磁石を示す上面図である。
【符号の説明】
【００１３】
１  多丸型２極磁石本体
２  回転軸
３  強磁性体リング
４  丸型磁石
５ａ  丸型磁石Ｎ極
５ｂ  丸型磁石Ｎ極
５ｃ  丸型磁石Ｎ極
５ｄ  丸型磁石Ｎ極
５ｅ  丸型磁石Ｎ極
５ｆ  丸型磁石Ｎ極
５ｇ  丸型磁石Ｎ極
５ｈ  丸型磁石Ｎ極
５ｉ  丸型磁石Ｎ極
５ｊ  丸型磁石Ｎ極
５ｋ  丸型磁石Ｎ極
５ｌ  丸型磁石Ｎ極
６ａ  丸型磁石Ｓ極
６ｂ  丸型磁石Ｓ極
６ｃ  丸型磁石Ｓ極
６ｄ  丸型磁石Ｓ極
６ｅ  丸型磁石Ｓ極
６ｆ  丸型磁石Ｓ極
６ｇ  丸型磁石Ｓ極
６ｈ  丸型磁石Ｓ極
６ｉ  丸型磁石Ｓ極
６ｊ  丸型磁石Ｓ極
６ｋ  丸型磁石Ｓ極
６ｌ  丸型磁石Ｓ極
【図１】
2005116653.tif 000003
【図２】
2005116653.tif 000004